(57)【要約】      （修正有）【課題】姿勢の矯正や健康・美容の促進をより効果的に実現する１本歯の下駄を提供する。【解決手段】下駄１０は、足を載せる台板１と、台板の上面１ａに設けられた鼻緒２と、台板の下面に設けられた１本歯６とを備えている。台板の上面１ａには、足裏と３点で接触するインソール４ｂ、４ｃが設けられている。１本歯は、台板の前後方向の中央付近に位置している。前側のインソール４ｂと、後側のインソール４ｃとの間には、台板の左右方向に延びる凹部５が設けられている。台板の下面１ｂにおける１本歯の前側と後側の各位置には、転倒防止用の突出部７ａ、７ｂが設けられている。鼻緒と台板との間には、５本指の各指間に入り込む４本の紐３が設けられている。【選択図】図４
0003208018.tif 000002
【実用新案登録請求の範囲】
【請求項１】
足を載せる台板と、
前記台板の上面に設けられた鼻緒と、
前記台板の下面に設けられた歯と、を備えた下駄において、
前記台板の上面に、足裏と３点で接触する隆起部が設けられており、
前記台板の下面に設けられた歯は、前記台板の前後方向の中央付近に位置する１本歯である、ことを特徴とする下駄。
【請求項２】
請求項１に記載の下駄において、
前記隆起部は、足裏の拇趾球および小趾球と対応するように前記台板の前側に設けられた２個のインソールと、足裏の踵骨と対応するように前記台板の後側に設けられた１個のインソールとからなる、ことを特徴とする下駄。
【請求項３】
請求項２に記載の下駄において、
前記各インソールは、遠赤外線を発生する天然鉱石の粉末を含んでいる、ことを特徴とする下駄。
【請求項４】
請求項２または請求項３に記載の下駄において、
前記前側のインソールと前記後側のインソールとの間に、足裏の土踏まずと対応する位置で前記台板の左右方向に延びる凹部が設けられている、ことを特徴とする下駄。
【請求項５】
請求項１ないし請求項４のいずれかに記載の下駄において、
前記台板の下面における、前記１本歯の前側と後側の各位置に、転倒防止用の突出部が設けられている、ことを特徴とする下駄。
【請求項６】
請求項５に記載の下駄において、
前記突出部は、半球形のエラストマー樹脂からなる、ことを特徴とする下駄。
【請求項７】
請求項１ないし請求項６のいずれかに記載の下駄において、
前記１本歯の下面に、滑り止め部材が設けられている、ことを特徴とする下駄。
【請求項８】
請求項７に記載の下駄において、
前記滑り止め部材は、エラストマー樹脂からなる、ことを特徴とする下駄。
【請求項９】
請求項１ないし請求項８のいずれかに記載の下駄において、
前記鼻緒と前記台板との間に、５本指の各指間に入り込む４本の紐が設けられている、ことを特徴とする下駄。
【請求項１０】
請求項１ないし請求項９のいずれかに記載の下駄において、
前記鼻緒の中綿は、遠赤外線を発生する天然鉱石の粉末を含むウォーマー繊維からなる、ことを特徴とする下駄。
【考案の詳細な説明】
【技術分野】
【０００１】
本考案は、姿勢の矯正や健康・美容の促進に有用な下駄に関する。
【背景技術】
【０００２】
一般的な下駄は、足を載せる台板と、この台板の上面に設けられた鼻緒と、台板の下面に設けられた２つの歯とを備えている。これに対し、たとえば特許文献１に開示されているような、台板の下面に歯が１つだけ設けられた１本歯の下駄がある。この１本歯の下駄は、全身でバランスを取りながら歩行することで、姿勢の矯正や足のストレッチなどが行えるようにしたものである。また、特許文献１では、台板の上面に、多数の突起を有するプラスチックシートが貼着されており、突起で足裏のツボを刺激することにより、血行の増進や脳の活性化が図れるようにしている。
【先行技術文献】
【特許文献】
【０００３】
【特許文献１】実用新案登録第３１０６９５９号公報
【考案の概要】
【考案が解決しようとする課題】
【０００４】
本考案は、上記のような１本歯の下駄にさらに改良を加えることで、姿勢の矯正や健康・美容の促進をより効果的に実現することを課題としている。
【課題を解決するための手段】
【０００５】
本考案に係る下駄は、足を載せる台板と、この台板の上面に設けられた鼻緒と、台板の下面に設けられた歯とを備えており、台板の上面には、足裏と３点で接触する隆起部が設けられている。また、台板の下面に設けられた歯は、台板の前後方向の中央付近に位置する１本歯となっている。
【０００６】
このような構成の下駄を履いて起立した状態では、１本歯を支点として全身でバランスを取ることで、姿勢を矯正することができるとともに、隆起部により３点で体重を支えることで、足裏のアーチを正しい状態に戻すことができる。このため、１本歯と３点支持の相乗効果によって、従来よりも、体の歪みや下半身のバランスが効果的に改善され、筋肉のストレッチや血液循環も促進される結果、健康で美しい身体が得られる。
【０００７】
本考案において、隆起部は、たとえば、足裏の拇趾球および小趾球と対応するように台板の前側に設けられた２個のインソールと、足裏の踵骨と対応するように台板の後側に設けられた１個のインソールとからなる。各インソールは、遠赤外線を発生する天然鉱石の粉末を含んでいることが好ましい。
【０００８】
本考案において、前側のインソールと後側のインソールとの間には、足裏の土踏まずと対応する位置で台板の左右方向に延びる、凹部が設けられていることが好ましい。
【０００９】
本考案において、台板の下面における１本歯の前側と後側の各位置には、転倒防止用の突出部が設けられていることが好ましい。この突出部は、たとえば、半球形のエラストマー樹脂からなる。
【００１０】
本考案において、１本歯の下面には、滑り止め部材が設けられていることが好ましい。この滑り止め部材も、たとえばエラストマー樹脂からなる。
【００１１】
本考案において、鼻緒と台板との間に設けられる紐は、５本指の各指間に入り込む４本の紐であることが好ましい。
【００１２】
本考案において、鼻緒の中綿は、遠赤外線を発生する天然鉱石の粉末を含むウォーマー繊維からなることが好ましい。
【考案の効果】
【００１３】
本考案によれば、従来の１本歯の下駄に比べて、姿勢の矯正や健康・美容の促進をより効果的に実現することができる。
【図面の簡単な説明】
【００１４】
【図１】本考案に係る下駄の斜視図である。
【図２】（ａ）は下駄の平面図、（ｂ）は下駄の底面図である。
【図３】（ａ）は下駄の正面図、（ｂ）は下駄の背面図である。
【図４】下駄の左側面図である。
【図５】下駄の右側面図である。
【図６】他の実施形態による下駄の斜視図である。
【考案を実施するための形態】
【００１５】
以下、本考案の実施形態につき、図面を参照しながら説明する。
【００１６】
図１〜図５は、本考案の一実施形態による下駄を示した図である。各図において、同一部分には同一符号を付してある。
【００１７】
図１に示すように、本考案の下駄は、右足用の下駄１０と左足用の下駄２０の一対からなる。各下駄１０、２０は左右対称なので、以下では右足用の下駄１０のみについて説明する。
【００１８】
図１〜図５に示すように、下駄１０は、足を載せる台板１と、台板１の上面１ａに設けられた鼻緒２と、台板１の下面１ｂに設けられた１本歯６とを備えている。台板１は、たとえば桐などの木材からなり、台板１と１本歯６とは、一体的に形成されている。
【００１９】
図１および図２（ａ）に示すように、台板１の上面１ａには、足裏と３点で接触する隆起部４ａ〜４ｃが設けられている。この隆起部は、台板１の前側に設けられた２個のインソール４ａ、４ｂと、台板１の後側に設けられた１個のインソール４ｃとからなる。前側のインソール４ａ、４ｂは、それぞれ足裏の拇趾球（親指の付け根付近の膨らみ）および小趾球（小指の付け根付近の膨らみ）と対応して設けられている。後側のインソール４ｃは、足裏の踵骨（かかと部分の骨）と対応して設けられている。各インソール４ａ〜４ｃは、台板１の上面１ａに形成された窪み（図示省略）に埋設されており、接着剤によって台板１に固定されている。また、各インソール４ａ〜４ｃは、遠赤外線を発生する天然鉱石（たとえば温光石）の粉末を含んでいる。
【００２０】
図１、図４、図５に示すように、前側のインソール４ａ、４ｂと、後側のインソール４ｃとの間には、凹部５が設けられている。この凹部５は、足裏の土踏まずと対応する位置で、台板１の左右方向（短辺方向）に延びている。
【００２１】
図４および図５に示すように、台板１の下面１ｂに設けられた１本歯６は、台板１の前後方向（長辺方向）の中央付近に位置している。１本歯６の下面には、滑り止め部材９が接着剤などにより固定されている。この滑り止め部材９は、エラストマー樹脂からなり、図２（ｂ）に示すように、１本歯６のほぼ全幅に渡って設けられている。また、台板１の下面１ｂにおける、１本歯６の前側と後側の各位置には、転倒防止用の突出部７ａ、７ｂが設けられている。これらの突出部７ａ、７ｂは、半球形のエラストマー樹脂からなり、図２（ｂ）に示すように、ネジ８などの固定部材によって台板１に固定されている。
【００２２】
図１〜図３に示すように、鼻緒２と台板１との間には、５本指の各指間に入り込む４本の紐３が設けられている。鼻緒２の中綿は、遠赤外線を発生する天然鉱石（たとえば温光石）の粉末を含むウォーマー繊維からなる。
【００２３】
上述した実施形態によると、台板１の下面１ｂの中央付近に１本歯６が設けられ、台板１の上面１ａに、足裏の拇趾球、小趾球、および踵の３点と接触するインソール４ａ〜４ｃが設けられている。このため、下駄１０を履いて起立した状態では、１本歯６を支点として全身でバランスを取ることで、姿勢を矯正することができるとともに、インソール４ａ〜４ｃにより３点で体重を支えることで、これら３点を結ぶ足裏のアーチ（内側縦アーチ、外側縦アーチ、横アーチ）を正しい状態に戻すことができる。その結果、１本歯と３点支持の相乗効果によって、従来の１本歯の下駄と比べて、体の歪みや下半身のバランスが効果的に改善される。
【００２４】
そして、この下駄１０を履いて両足で立つことができるようになれば、次は、片足立ちをしたり、通常に歩行したり、小走りしたり、体操をしたりすることで、バランスのとれた姿勢が得られることに加え、筋肉のストレッチや血液循環も促進され、健康で美しい身体が得られる。特に、正しい姿勢維持のために、全身の筋肉をバランスよく使って体幹が鍛えられる結果、贅肉が取れてウェスト、ヒップ、足などが細くきれいになる。また、骨盤の歪みを矯正したり、Ｏ脚やＸ脚を改善したり、腰痛や膝痛を軽減したり、便通を改善したりする効果もある。
【００２５】
また、上述した実施形態によると、前側のインソール４ａ、４ｂと後側のインソール４ｃとの間に、土踏まずと対応して凹部５が設けられているので、３つのインソール４ａ〜４ｃによって、足裏を確実に３点で支持することができ、前記の３つのアーチをより効果的に正常な状態に戻すことができる。
【００２６】
また、上述した実施形態によると、各インソール４ａ〜４ｃは、遠赤外線を発生する天然鉱石の粉末を含んでいるので、インソールから放射される遠赤外線によって足の裏側が暖められ、血行が促進される。また、鼻緒２の中綿（ウォーマー繊維）にも、遠赤外線を発生する天然鉱石の粉末が含まれているので、鼻緒２から放射される遠赤外線によって足の表側も暖められ、血行が一層促進される。
【００２７】
また、上述した実施形態によると、１本歯６の前後に半球形の突出部７ａ、７ｂが設けられているので、下駄１０を履いた状態でバランスを崩した場合でも、突出部７ａ、７ｂが床や地面に当接することで、転倒が防止される。また、１本歯６の下面に滑り止め部材９が設けられているので、滑りによる転倒を効果的に防止することができる。さらに、突出部７ａ、７ｂと滑り止め部材９は、共にエラストマー樹脂から形成されているので、部屋のフローリング床の上を歩行した場合でも、フローリング床の表面を傷つけることがない。
【００２８】
また、上述した実施形態によると、鼻緒２に紐３が４本設けられているので、下駄１０を履いた状態では、５本の足指の各指間に紐３がそれぞれ入り込んで、指の間隔が広がる。このため、血液循環が促進されるとともに、足の親指と人さし指の間にある反射区（神経の集中箇所）が刺激されることで、脳が活性化される。
【００２９】
本考案は、上述した実施形態以外にも、以下に述べるような種々の実施形態を採用することができる。
【００３０】
前記の実施形態では、台板１と１本歯６とは一体的に形成されているが、１本歯６を台板１と別体に形成して、台板１に固定してもよい。また、台板１や１本歯６は、木材に限らずプラスチックなどで形成してもよい。
【００３１】
前記の実施形態では、台板１の上面１ａの隆起部を、台板１とは別のインソール４ａ〜４ｃで構成した例を挙げたが、この隆起部は台板１と一体に形成されたものであってもよい。
【００３２】
前記の実施形態では、転倒防止用の突出部７ａ、７ｂを半球形としたが、突出部７ａ、７ｂの形状は半球形に限らず、たとえば半円柱形（蒲鉾形）であってもよく、あるいは、円錐台、角錐台、直方体などの形状であってもよい。また、突出部７ａ、７ｂは、台板１と一体に形成してもよい。
【００３３】
前記の実施形態では、下駄１０、２０の外観を、図１や図２に示すような女性向きのビーチサンダル風とした例を挙げたが、これに限らず、図６に示すような男性向きの伝統的な外観を有する下駄１０’、２０’であってもよい。
【符号の説明】
【００３４】
１    台板
１ａ  上面
１ｂ  下面
２    鼻緒
３    紐
４ａ，４ｂ，４ｃ  インソール（隆起部）
５    凹部
６    １本歯
７ａ，７ｂ  突出部
９    滑り止め部材
１０  下駄（右足用）
２０  下駄（左足用）
【図１】
0003208018.tif 000003
【図２】
0003208018.tif 000004
【図３】
0003208018.tif 000005
【図４】
0003208018.tif 000006
【図５】
0003208018.tif 000007
【図６】
0003208018.tif 000008